(57)【要約】【課題】結露を生じることなく、デザイン面及び機能面を両立することのできる空気調和機を提供する。【解決手段】ケーシング２の吹出口４の下端縁の近傍でケーシング２に対して回動自在に設けられた導風パネル７を備え、導風パネル７は、板状の外装材の裏面に発泡体層が積層された構造で、覆い姿勢で主に吹出口４を覆うカバーパネル８と、該カバーパネル８の上側に配置される延長パネル９とに分割され、カバーパネル８と延長パネル９とが対向する両パネルの端部に補強材１１、２６が埋設された構成とする。【選択図】        図１
2008134010.tif 000002
【特許請求の範囲】
【請求項１】
空気を吹き出す吹出口を有するケーシングと、該ケーシングの吹出口の上端縁又は下端縁の近傍でケーシングに対して回動自在に設けられた導風パネルとを備え、前記導風パネルに補強材が設けられたことを特徴とする空気調和機。
【請求項２】
前記導風パネルは板状に形成され、その一面が導風面を形成してなり、該導風面側に補強材が設けられたことを特徴とする請求項１記載の空気調和機。
【請求項３】
前記導風パネルは、板状の外装材の裏面に発泡体層が積層され、発泡体層に補強材が埋設されたことを特徴とする請求項２記載の空気調和機。
【請求項４】
前記導風パネルは、吹出口の下端縁近傍でケーシングに対して回動自在で、吹出口から吹出す空気を略水平方向に導く導風姿勢と、ケーシングの前面に沿って配され、前記吹出口を含むケーシングの前面の少なくとも下半分を覆う覆い姿勢とに切換え自在に設けられ、かつ、前記導風パネルは、覆い姿勢で主に吹出口を覆うカバーパネルと、該カバーパネルの上側に配置される延長パネルとに分割されると共に、カバーパネルが延長パネルに対して回動自在に支持されてなり、延長パネルに対向するカバーパネルの端部に補強材が埋設されたことを特徴とする請求項１から３のいずれかに記載の空気調和機。
【請求項５】
前記カバーパネルに対向する延長パネルの端部に、補強材が埋設されたことを特徴とする請求項４記載の空気調和機。
【請求項６】
前記カバーパネルは、カバーパネル上端部において、ケーシング左右方向と平行に設定された回動軸線周りに回動自在に設けられたことを特徴とする請求項４又は５記載の空気調和機。
【請求項７】
前記カバーパネルの補強材がシャフトであり、前記回動軸として機能することを特徴とする請求項６記載の空気調和機。
【発明の詳細な説明】
【技術分野】
【０００１】
本発明は、ケーシングの吹出口に対して回動自在な導風パネルを備えた空気調和機に関するものである。
【背景技術】
【０００２】
空気調和機の室内ユニットの吹出口から指向性よく所望の方向に調和空気を吹き出すために、特許文献１に示すように、吹出口を開閉する前面パネルを吹出口の上端又は下端の近傍に設け、これを回動させる構成のものが知られている。
【０００３】
上記前面パネルは、吹出口の上端又は下端近傍に設けられた、軸方向がケーシング左右方向に平行な回動軸周りに回動可能とされている。
【特許文献１】特開２００５−３１５５３６号公報
【発明の開示】
【発明が解決しようとする課題】
【０００４】
しかしながら、上記空気調和機において、吹出口を開閉する大きさの前面パネルを使用する場合、反りや撓みが生じやすく、空気調和機の外観を損なうおそれが生じていた。
【０００５】
また、前面パネルとして板状のものを使用すると、吹出口から冷風を吹出す際に、前面パネルの裏面側は吹出口から吹き出す冷風が接触し、反対の表面側では室内の未調和の空気が接触する。すると、前面パネルが冷風で冷却されることにより、パネル表面に結露が生じて汚れや雑菌の繁殖の原因となる場合があった。
【０００６】
また、前面パネルが板状に形成されている場合、前面パネルの外面側のデザイン性を追求すると、必然的に導風面となる内面側の形状までが決定されてしまい、吹出口からの空気を適切な方向に導くことができない。また、反対に、導風面を重視して前面パネルの内面側の形状を決定すれば、外面側のデザイン性が悪くなってしまう。このように、デザイン性と機能性の両者を両立させるのが困難な場合もあった。
【０００７】
本発明は、上記課題を解決するためになされたものであり、反りや撓みが生じにくく、さらには結露が生じにくく、デザイン面及び機能面を両立することのできる空気調和機を提供することを目的とする。
【課題を解決するための手段】
【０００８】
上記問題点を解決するため、本発明に係る空気調和機は、空気を吹き出す吹出口を有するケーシングと、該ケーシングの吹出口の上端縁又は下端縁の近傍でケーシングに対して回動自在に設けられた導風パネルとを備え、前記導風パネルに補強材が設けられたことを特徴とする。
上記構成によれば、補強材によって導風パネルの反りや撓みを抑制するため、外観デザインを損なうことがない。
【０００９】
導風パネルは板状に形成し、その一面が導風面を形成してなり、該導風面側に補強材を設けることができ、これにより補強材が導風パネルの表面に露出せず、空気調和機の良好なデザイン性を維持することができる。ここで、導風面とは、導風パネルにおいて、吹出口から吹き出す空気が接触する側の面、すなわち、導風パネルが吹出口を閉鎖する姿勢をとったときの導風パネルの裏面側を意味する。
【００１０】
さらに、導風パネルは、板状の外装材の裏面に発泡体層が積層され、発泡体層に補強材が埋設された構成とすることができる。
上記構成によれば、外装材に発泡体層を積層し、さらに発泡体層に補強材を埋設したため、導風パネルの表面側、すなわち、外装材の表面に結露を生じることがない。したがって、デザイン面及び機能面を両立することのできる空気調和機を得ることができる。
【００１１】
すなわち、断熱性を有する発泡体層を形成したことで、吹出口から冷風が吹き出す場合であっても、外装材まで冷却されることがなく、結露の発生を効果的に防止することが可能となる。
【００１２】
また、外装材に発泡体層を積層することにより、一面側と他面側とを異なる形状に形成することができる。したがって、パネルの一面側を形成する枠材をデザイン性重視で成形した場合であっても、内面側に積層される発泡体層を目的の導風形状に湾曲して形成できるため、導風方向を自由に設定することができる。
【００１３】
外装材に発泡体層を積層する場合、外装材を仕込んだ金型内に発泡原料を注入して発泡形成することにより、外装材に発泡体層が積層された導風パネルを得ることができるが、外装材と発泡体層という異なる材料を積層すると反りや撓みが発生しやすくなる。特に、導風パネルにおいて、長さ方向に対して幅方向の長さが大きくなると、幅方向の中央部の反り、撓みが大きくなりやすい。
【００１４】
したがって、外装材に発泡体層を積層形成する際に、剛性を有する補強材を、外装材とともに金型内に仕込んだ状態で発泡材料を注入して発泡形成することにより、補強材が発泡体層に埋設された導風パネルを得ることができ、導風パネルの反り、撓みを抑制して外観上の美感を維持することができる。
【００１５】
上記導風パネルは、上下に２分割した形状にすることもできる。すなわち、導風パネルが、吹出口の下端縁近傍でケーシングに対して回動自在で、吹出口から吹出す空気を略水平方向に導く導風姿勢と、ケーシングの前面に沿って配され、前記吹出口を含むケーシングの前面の少なくとも下半分を覆う覆い姿勢とに切換え自在に設けられ、かつ、導風パネルは、覆い姿勢で主に吹出口を覆うカバーパネルと、該カバーパネルの上側に配置される延長パネルとに分割されると共に、カバーパネルが延長パネルに対して回動自在に支持されてなり、延長パネルに対向するカバーパネル端部に補強材が埋設された構成とすることができる。
【００１６】
上記構成によれば、導風パネルの開閉動作や経時変化などで延長パネルやカバーパネルに反りや撓みが生じても、補強材によりできるだけ元の状態を維持できるため、美観上良好であるだけでなく、延長パネルとカバーパネルとの隙間からの調和空気の漏れを防ぐことができるので、結露や送風効率の低下を防ぐことができる。また、延長パネルを覆い姿勢のままで、カバーパネルのみを回動させて下向きにすることで吹出口からの空気を下方に吹き出した場合、カバーパネルの端部を補強材で補強することにより、導風パネルの外観上の美感を維持することができる。
【００１７】
すなわち、延長パネルと、カバーパネルとの間にはカバーパネルを回動させるための隙間が必要とされる。ところが、回動する側のカバーパネルの反り、撓みが大きくなると、この隙間をより大きく設定しなければならず、この延長パネルとカバーパネルとの間の大きな隙間は導風パネルの外観デザインを著しく低下させることになる。
【００１８】
そこで、本発明においては、延長パネルに対向するカバーパネルの端部を補強材で補強して該端部における反りや撓みなどの歪みを抑制することにより、延長パネルとカバーパネルとの間の隙間を小さくすることが可能となり、導風パネルとしての視覚的な一体感を高め、良好な外観デザイン性を有する空気調和機を得ることができる。
【００１９】
さらに、カバーパネルに対向する延長パネルの端部にも補強材を埋設すれば、延長パネルの反りや撓みを抑制することが可能となり、延長パネルとカバーパネルとの間の隙間をより小さくすることが可能となる。
【００２０】
カバーパネルは、カバーパネル上端部において、ケーシング左右方向と平行に設定された回動軸線周りに回動自在に設けられたものほど、カバーパネルと延長パネルとの間の隙間を大きく設定する必要が生じる。したがって、本発明を適用することにより、カバーパネルと延長パネルとの間の隙間を効果的に小さくすることが可能となる。
【００２１】
上記理由について詳述すると、図１２〜図１４は、カバーパネルと延長パネルとが対向する両者端部をパネル側方から見た概略図である。図１２に示すように、カバーパネル８に撓みがなく、カバーパネル８と延長パネル９との厚みがほぼ同じである場合に、カバーパネル８の端部に形成された回動軸線１１ａ周りにカバーパネル８を回動可能とするためには、カバーパネル８と延長パネル９との間の隙間をＸ１にする必要がある。
【００２２】
次に、カバーパネル８に撓みＤが発生した場合、図１３に示すように、この撓みＤ部分を含めてカバーパネル８を回動軸線１１ａ周りに回動可能とするためには、カバーパネル８と延長パネル９との間の隙間をＸ２に拡げなければならない。
【００２３】
しかしながら、カバーパネル８に撓みＤが発生した場合でも、図１４に示すように、カバーパネル８の端縁から回転軸線１１ａまでの距離をＹ１からＹ２に広げると、カバーパネル８と延長パネル９との間の隙間はＸ３（ただしＸ３＜Ｘ２）に縮めることができる。すなわち、回転軸線１１ａがカバーパネル端縁に近づくほど、カバーパネル８と延長パネル９との間の隙間を拡げることが必要とされる。
【００２４】
補強材としては、導風パネルを構成する外装板や発泡体層よりも剛性の高いものであればよく、金属製のものを用いるのが好ましい。また、補強材としては、シャフト、Ｌ字状アングル、Ｕ字状アングル等を用いることができる。カバーパネルの補強材としてシャフトを用いる場合に、シャフトを前記回動軸として用いれば、別途回動軸を設ける必要がなく、カバーパネルの構造を簡素化できるという利点を有する。
【発明の効果】
【００２５】
以上のように、本発明によれば、該ケーシングの吹出口の上端縁又は下端縁の近傍でケーシングに対して回動自在に設けた導風パネルとして、板状の外装材の裏面に発泡体層を積層し、発泡体層に補強材を埋設したものを使用したため、結露を生じることなく、デザイン面及び機能面を両立することのできる空気調和機を提供することが可能となる。
【発明を実施するための最良の形態】
【００２６】
図１は本実施形態のセパレート型空気調和機の室内ユニットにおける導風パネルの覆い姿勢を示す断面図、図２は同じくその斜視図である。図３は室内ユニットのカバーパネルの開姿勢を示す断面図、図４は同じくその斜視図である。図５は室内ユニットにおける導風パネルの導風姿勢を示す断面図、図６は同じくその斜視図である。
【００２７】
本実施形態における室内ユニット１は、ケーシング２の上面に空気の吸込口３が形成され、ケーシング２の前面下部に空気の吹出口４が形成されている。吸込口３から吹出口４に至るケーシング２の内部空気流通路には、熱交換器５が配置され、熱交換器５に囲まれて、その吹出口４側にクロスフローファンからなる室内ファン６が内蔵されている。
【００２８】
吹出口４には、縦ルーバ３６ａと横ルーバ３６ｂとからなる風向変更装置３６が設けられ、吹出口４から吹出す風の向きを変更することができるようになっている。この風向変更装置３６は、公知の構造のものである。本発明では、この風向変更装置３６とは別に、ケーシング２の前面に覆い姿勢と導風姿勢に切換え自在な導風パネル７が設けられる。この導風パネル７は、吹出口４から吹出す空気を略水平方向で遠方に導くもので、導風パネル７の下端が第１の回動軸１０周りに回動自在にケーシング２に軸支されている。
【００２９】
そして、導風パネル７は、第１の回動軸１０周りに回動により、吹出口４から略水平方向に配置されて吹出口４から吹出す空気を略水平方向に導く導風姿勢と、ケーシング２の前面に沿って配置され、吹出口４を含むケーシングの前面の少なくとも下半分を覆う覆い姿勢とに切換え自在とされる。
【００３０】
導風パネル７の導風姿勢は、主として、冷房運転時に吹出口４から吹出された風を導風パネル７に沿って略水平方向ないし斜め上方に導き、室内の天井に沿って遠方に空気に導くときに採用される。
【００３１】
また、導風パネル７は、その覆い姿勢で、ケーシング２の前面下部から前面にかけて、吹出口４及びその周辺部分を被覆するように設置される。すなわち、導風パネル７は、吹出口４よりも大きく形成されており、ケーシング２の前面のほぼ全域を覆う大きさとされている。従って、導風パネル７が導風姿勢をとったときには、充分な長さの導風面を確保することができ、調和空気を遠方まで効率よく送ることができる。
【００３２】
さらに、導風パネル７は、主に吹出口４を覆うカバーパネル８と、該カバーパネル８の先端部に連続して設けられた延長パネル９とに分割される。カバーパネル８は延長パネル９に対して第２の回動軸１１の周りに開閉回動自在に支持される。そして、カバーパネル８は、延長パネル９をケーシング２の前面に沿わせた覆い姿勢を保ちつつ、第２の回動軸１１の周りの回動により、吹出口４を覆う閉姿勢と、下端が垂直方向に開いた開姿勢とに切り換え自在とされる。カバーパネル８の開姿勢は、主として暖房運転時や局所的に冷風を吹出させたい急速冷房運転時に、吹出口４から吹出した風を垂直下方に導くときに採用される。
【００３３】
また、導風パネル７では、吹出口４の背面側の湾曲した通路壁に連続して風を遠方に導くことができるように、カバーパネル８が側面視で凹曲面形状に形成され、逆に、延長パネル９では、カバーパネル８から導かれた風がケーシング上面の吸込口３に吸込まれてショートサーキットを起こさないように内側に凸曲面形状に形成される。
【００３４】
導風パネル７の回動機構について、さらに詳述する。延長パネル９は、吹出口４の左右外側位置で左右一対の脚部９ｂが垂設される。脚部９ｂの下端部は、ケーシング２に第１の回動軸１０周りに回動自在に軸支される。
【００３５】
また、導風パネル７を構成する延長パネル９の左右両端部には、回動アーム１６が取り付けられている。回動アーム１６には第１の回動軸１０を中心として円弧状に湾曲するラック１６ａが形成されている。ラック１６ａは、ケーシング２内に設置されているピニオン（図示略）と噛合しており、ピニオンが駆動することによって延長パネル９が回動軸線１０ａ周りに回動する。
【００３６】
また、脚部９ｂは、板状であってケーシング２に沿って湾曲形状に形成される。また、一対の脚部９ｂ間には吹出口４とほぼ同じ大きさの通気部９ａが形成される。一方、カバーパネル８は、ケーシング２の左右幅とほぼ同じ左右幅を有する。そして、カバーパネル８は、延長パネル９の脚部９ｂを覆い隠すように延長パネル９の前面側に配置される。カバーパネル８の上端は、延長パネル９に設けられた第２の回動軸１１の軸線１１ａ周りに回動自在に取り付けられる。
【００３７】
さらに、詳述すると、カバーパネル８の左右両端部には軸線１１ａがケーシング２の左右方向Ａと平行になるように設定された第２の回動軸１１が形成される。なお、第１の回動軸１０についても軸線１０ａ方向がケーシング左右方向Ａと平行になるように設定されている。第２の回動軸１１は、延長パネル９の脚部９ｂに形成された軸受部に回動自在に軸受けされる。この軸受部は、吹出口４上端よりも上方位置に配置される。
【００３８】
また、カバーパネル８には、第２の回動軸１１を中心として扇状ギア１５が設けられる。そして、延長パネル９がケーシング２に接近した覆い姿勢で、扇状ギア１５がケーシング内に設置された駆動ギアに噛合する。そして、駆動ギアの回転駆動動作により、これに噛合う扇状ギア１５が回転し、カバーパネル８が回動するようになっている。
【００３９】
導風パネル７が吹出口４を開放する際には、カバーパネル８は通気部９ａを塞ぐ姿勢のままで延長パネル９とともに一体的に回動軸線１０ａ周りに回動する。これにより、延長パネル９は、ケーシング２に沿って配される覆い姿勢と略水平方向に位置する導風姿勢とに切換え回動自在とされる。
【００４０】
また、カバーパネル８には、回動軸線１１ａを挟んで反対側にシール部１２が形成される。このシール部１２に対向して、ケーシングの吹出口４の上方位置でケーシング左右幅方向Ａに溝部１９が形成される。溝部１９は、カバーパネル８が延長パネル９に対して下端を開放した開姿勢をとるとき、シール部１２がケーシング２に接近する方向に回動するのを許容するために形成される。そして、溝部１９の下壁部１３がシール部１２と当接する。
【００４１】
延長パネル９には、シール部１２と延長パネル９との間の隙間をシールするシール材１７が配設される。また、ケーシング２の吹出口４の下縁には、導風パネル７とケーシング２との間の隙間をシールするシール材１８が配設される。
【００４２】
カバーパネル８及び延長パネル９の構成について詳細に説明する。図７は、カバーパネル８の断面図、図８は、延長パネルの断面図、そして、図９は延長パネルの分解斜視図をそれぞれ示す。
【００４３】
カバーパネル８は、外装材８０１に発泡体層８０２としてポリウレタンフォームが積層され、発泡体層８０２の表面が導風形状に湾曲して形成されている。発泡体層８０２の表面は、化粧シート８０３で保護されている。外装材８０１は、合成樹脂製で湾曲した板状に成形されている。なお、実際には、外装材８０１は、周縁に側壁が形成された断面Ｕ字型とされており、その内部に発泡原料が注入され、発泡成形により発泡体層８０２が形成される。
【００４４】
延長パネル９と対向するカバーパネル８の端部、すなわち、カバーパネル８の上端部には、発泡体層８０２中に回動軸１１として金属製のシャフトが埋設されており、これにより、カバーパネル８の反り、撓みが抑制される。回動軸１１は、カバーパネル８の左右両端部において外部に露出するように形成され、この部分が脚部９ｂの上端部に形成された軸受部に軸支されている。
【００４５】
延長パネル９は、その両端部に左右一対の脚部９ｂが垂設されており、一対の脚部９ｂ間に空間である通気部９ａが形成される。延長パネル９は、外装材９０１に発泡体層９０２としてポリウレタンフォームが積層され、発泡体層９０２の表面が導風形状に湾曲して形成されている。発泡体層９０２の表面は、化粧シート９０３で保護されている。外装材９０１は、合成樹脂製で湾曲した板状に成形されている。なお、実際には、外装材９０１は、周縁に側壁が形成された断面Ｕ字型とされており、その内部に発泡原料が注入され、発泡成形により発泡体層９０２が形成される。
【００４６】
カバーパネル８と対向する延長パネル９の端部、すなわち、延長パネル９の下端部には発泡体層９０２中に補強材２６として金属製の角材が埋設されている。また、カバーパネル８と対向する延長パネル９の端部において、外装材９０１には、補強材２６を保持するための保持用の壁部９０４が側壁に対して平行に複数形成されている。
【００４７】
補強材保持用の壁部９０４は、発泡原料を注入して発泡成形する際に、補強材２６の位置ずれを防止するものであり、補強材２６は、最終的に発泡体層９０２により固定されてパネルに一体化している。これにより、延長パネル９の反り、撓みが抑制される。
【００４８】
本実施形態では、上記壁部９０４は、主として補強材の位置ずれ防止用として用いられているが、これに限らず、補強材２６を係止する係止手段を使用することもできる。この場合には、発泡体層９０２に拘らず、補強材２６を固定して、延長パネル９の反り、撓みを抑制することができる。
【００４９】
具体的な係止手段としては、例えば、図１０に示すように、前述の壁部９０４の先端及び側壁に係止用爪９０５を形成してもよいし、図１１に示すように、補強材２６を挿入して係止する係止用孔９０６を備えた係止部９０７を形成してもよい。
【００５０】
以上により、カバーパネル８と、延長パネル９の反り、撓みを抑制することで、両者間の隙間を狭くすることが可能となり、導風パネル７として一体感を高め、良好な外観デザイン性を有する空気調和機を得ることができる。
【図面の簡単な説明】
【００５１】
【図１】本発明の第１実施形態を示す空気調和機の室内ユニットの断面図
【図２】図１の室内ユニットの外観を示す斜視図
【図３】図１における室内ユニットのカバー体が回動した状態を示す断面図
【図４】図３の室内ユニットの外観を示す斜視図
【図５】図１における室内ユニットの導風パネルが回動した状態を示す断面図
【図６】図５の室内ユニットの外観を示す斜視図
【図７】カバーパネルを示す断面図
【図８】延長パネルを示す断面図
【図９】延長パネルの分解斜視図
【図１０】図８と別の態様を示す一部断面図
【図１１】図１０と別の態様を示す一部断面図
【図１２】カバーパネルと延長パネルとの境界付近を示す概略図
【図１３】図１２の第２の態様を示す概略図
【図１４】図１２の第３の態様を示す概略図
【符号の説明】
【００５２】
１                室内ユニット
２                ケーシング
３                吸込口
４                吹出口
５                熱交換器
６                室内ファン
７                導風パネル
８                カバーパネル
９                延長パネル
９ａ              通気部
９ｂ              脚部
１０                第１回動軸
１１                第２回動軸
１２                シール部
１４                シール材
１５                扇状ギア
１６                アーム
１６ａ              ラック部
１７、１８          シール材
１９                溝部
２６                補強材
３６                風向変更装置
３６ａ              縦ルーバ
３６ｂ              横ルーバ
８０１                外装材
８０２                発泡体層
８０３                化粧シート
９０１                外装材
９０２                発泡体層
９０３                化粧シート
９０４                壁部
９０５                係止用爪
９０６                係止用孔
９０７                係止部
Ａ                ケーシング左右方向
【図１】
2008134010.tif 000003
【図２】
2008134010.tif 000004
【図３】
2008134010.tif 000005
【図４】
2008134010.tif 000006
【図５】
2008134010.tif 000007
【図６】
2008134010.tif 000008
【図７】
2008134010.tif 000009
【図８】
2008134010.tif 000010
【図９】
2008134010.tif 000011
【図１０】
2008134010.tif 000012
【図１１】
2008134010.tif 000013
【図１２】
2008134010.tif 000014
【図１３】
2008134010.tif 000015
【図１４】
2008134010.tif 000016